(57)【要約】      （修正有）【課題】容器の持ち運びや振動によって、吸収体の容器開口部に対する位置がずれたり、吸収体が前後に倒れたりせず、また、吸収体と容器とによる装置全体としての美観を損なわない芳香発散装置を提供する。【解決手段】液体芳香剤２を収容することができ、上部に開口部３を有する容器４と、液体芳香剤２を吸収する吸水性のある吸収体５とを備え、開口部３に吸収体５を位置決めする位置決め部６を有する芳香発散装置１。【選択図】図４
2019210048.tif 000002
【特許請求の範囲】
【請求項１】
液体芳香剤を収容することができ、上部に開口部を有する容器と、前記液体芳香剤を吸収する吸水性のある吸収体とを備え、前記開口部に前記吸収体を位置決めする位置決め部を有する芳香発散装置。
【請求項２】
前記吸収体を複数個有し、各前記吸収体は下方部に下部孔を有し、各前記下部孔を貫く要を有することを特徴とする請求項１記載の芳香発散装置。
【請求項３】
前記要は、真鍮または錫からなることを特徴とする請求項２記載の芳香発散装置。
【請求項４】
前記吸収体を複数個有し、各前記吸収体は上方部に上部孔を有し、各前記吸収体の上部孔が紐で連結された請求項１記載の芳香発散装置。
【請求項５】
液体芳香剤を収容することができ、上部に開口部を有する容器と、前記開口部に形成された、扇子を開いて固定するための位置決め部とを備えた芳香発散装置の容器。
【発明の詳細な説明】
【技術分野】
【０００１】  本発明は、吸い上げた液体芳香剤で設置空間を適度な芳香で満たすことができる芳香発散装置に関する。
【背景技術】
【０００２】  この種の芳香発散装置として、特許文献１に記載の発明が公知である。特許文献記載の芳香発散装置は、液体芳香剤を入れるための開口部を有する容器と、複数本の短冊状木製板材（リード）を備えている。【０００３】  特許文献１に記載の芳香発散装置は、リードが平たいため、ラタン製などの従来の単なる棒状のリードと比較すると、表面積が大きく、容器内においてより多くの芳香剤を吸い上げることができるとともに、吸い上げた芳香剤をより多く周辺の空気中に発散することができる。【０００４】  また、特許文献１に記載の芳香発散装置は、リードの下部に設けられた要により、複数枚のリードを開閉自在に固定しているため、空間に広がる香りの分量を調節することができる。
【先行技術文献】
【特許文献】
【０００５】
【特許文献１】登録実用新案第３１１９８３４号公報
【発明の概要】
【発明が解決しようとする課題】
【０００６】  しかし、上記従来の芳香発散装置は、容器の持ち運びや振動によって、リードの開口部に対する位置がずれ、場合によっては前後に倒れてしまうことがある。また、リードの模様と器の模様とで芳香発散装置全体に美観を持たせた場合は、リードの開口部に対する位置がずれることによって、芳香発散装置全体としての美観を損なってしまい、インテリア性に欠ける。
【課題を解決するための手段】
【０００７】  本発明の芳香発散装置は、液体芳香剤を収容することができ、上部に開口部を有する容器と、前記液体芳香剤を吸収する吸水性のある吸収体とを備え、前記開口部に前記吸収体を位置決めする位置決め部を有する。
【発明の効果】
【０００８】  本発明によれば、吸収体が容器の開口部の溝で位置決めされるために、容器の持ち運びや振動によって、吸収体の容器に対する位置がずれることがなく、振動によって前後に倒れることがない。【０００９】  また、吸収体の模様と器の模様とで芳香発散装置全体に美観を持たせた場合にも、吸収体の開口部に対する位置がずれることがないため、芳香発散装置全体としての美観を維持でき、インテリア性に優れる。
【図面の簡単な説明】
【００１０】
【図１】本発明の芳香発散装置の一実施例の形態を示す正面図
【図２】本発明の実施の形態における吸収体を示す正面図
【図３】本発明の一実施の形態の容器を示す断面図
【図４】本発明の一実施の形態の使用状態に示す断面図
【図５】本発明の一実施の形態を示す平面図
【発明を実施するための形態】
【００１１】  以下本発明の実施の形態を図面に沿って説明する。
【００１２】  図１〜図４において、芳香発散装置１は、液体芳香剤２を収容することができ、上部に開口部３を有する容器４と、液体芳香剤１を吸収する吸水性のある吸収体５とを備え、開口部３の内面に吸収体５を位置決めする位置決め部６を有する。
【００１３】  また、芳香発散装置１は、吸収体５を複数本有し、各吸収体５は下方部に下部孔７を有し、各下部孔７を貫く要８を有する。
【００１４】  各吸収体５は、上方部に上部孔９を有し、上部孔９は紐１０で連結されている。
【００１５】  本実施の形態の容器４は、開口部３の内径が３０ｍｍ、くびれ部の内径が２５ｍｍの徳利形状を有しており、開口部３には、位置決め部６として、対抗する位置に上下方向に約２０ｍｍ溝が形成されている。位置決め部６は、後述するように、吸収体５を設置する際の位置決めの作用をする。したがって、位置決め部６は、本実施の形態のような容器４の肉厚部に形成された溝でなくても、開口部３に突出部を対抗して形成し、その突出部に形成された溝でもよい。
【００１６】  また、本実施の形態のように、位置決め部６は対向して設けられなくても、深めの溝にすることにより、開口部３の内面の１か所に設けるだけでも可能である。
【００１７】  さらに、位置決め部６は、容器４の底面１１の内面に形成された溝でも可能であり、また容器の底面１１の内面に形成された突起部でも可能である。
【００１８】  しかし、本実施の形態のように、開口部３の内面に溝を対抗して形成する方が、容器４の製造が容易である。
【００１９】  なお、容器４の形状は、徳利形状に限らず、円筒形状や直方体形状でも構わない。この場合は、容器４の開口部３に傾斜状の溝を形成することで、容易に位置決め部６を形成することができる。
【００２０】  また、容器４は、液体を注ぐための開口部３を有していれば、その材質を問わない。例えば、陶器、磁器やポリカーボーネートなどの樹脂、ガラス、金属など、様々な素材を使って設置場所や吸収体５に適合した素材を用いることができる。
【００２１】  本実施の形態の、容器４に収容される液体芳香剤２は、例えば、天然香料であるユーカリ、ローズマリー、ラベンダーの他、合成香料などが挙げられる。
【００２２】  吸収体５は、下端部の幅が８ｍｍ、上端部の幅が１１ｍｍ、長さが２２５ｍｍの形状からなり、容器４の下部に収容されている液体芳香剤２を、竹などの平面な木材の毛細管現象を活かして上部に浸透させる。このことにより、より多くの芳香を空気中に広げることができる。吸収体５は、毛細管現象が発生しやすい木材で加工できるものであれば、その素材を問わない。しかしながら、美観の点から扇子のような平面的なものであれば好ましい。
【００２３】  吸収体５の下方部には下部孔７が形成されている。下部孔７は、例えば、２２５ｍｍの長さの吸収体５に対して、下から３５．５ｍｍの位置に、２．３ｍｍの径で形成されている。しかし、下部孔７の位置は、これに限らず、容器４の開口部３よりも下方の位置に形成されればよい。
【００２４】  下部孔７には、複数の吸収体５を連結するための要８が設けられている。要８により、吸収体５を任意の位置に開閉して位置決め部３に固定することができる。
【００２５】  図２は、図１の中で複数本重ねられた吸収体５を１本のみ示した正面図である。吸収体５の下方部には下部孔７が形成されており、下部孔７に要８を通すことで、複数本の吸収体５を固定することが可能となる。下部孔７の位置によって、要８で吸収体５を固定したとき、吸収体５の上方部の開き角度が異なるので、インテリア性に合わせて下部孔７の位置を決めればよい。
【００２６】  本実施の形態で用いる要８は、真鍮や錫でできている。従来の要８に用いられている素材はプラスチック製であるため、精油の成分に負けてしまい、要８自体が溶解してしまう。要８として、例えば銀やアルミを用いた扇子もあるが、銀やアルミが精油との化学変化が発生し、液体芳香剤の成分が変わってしまう。
【００２７】  しかしながら、本実施の形態によれば、真鍮や錫を用いているため、要８が溶解してしまうことがない。したがって、本実施の形態によれば、要８が溶解しないため、吸収体５がばらばらにならず、扇状の開いた状態を維持することができる。また、液体芳香剤２の成分が変わらないので、常に安定した芳香を空気中に拡散することができる。
【００２８】  本実施の形態では、吸収体５の上方部にも複数個の上部孔９が形成されている。上部孔９にかがり糸などの紐１０を通し、紐１０の長さを調節することで、吸収体５の先端部の開き具合を所定の位置に固定することが可能である。本実施の形態では、図１に示すように、２本ずつの吸収体５で円の模様が形成され、またそれぞれの吸収体５には、ひし形形状、長方形状、線形状などの模様となるように、上部孔１０が形成されている。
【００２９】  本実施の形態では、紐１０は、各吸収体５の先端部が隣接する程度に、各吸収体５を連結している。したがって、インテリア性に合わせて紐１０の長さを変え、各吸収体５の先端部が離れるように各吸収体５を連結することも可能である。
【００３０】  以下に本実施の形態の使用の手順を説明する。まず、要８によって綴じられた複数枚の吸収体５を容器４の開口部３に差し込む。その後、容器４の開口部３の一方の位置決め部６にあわせて吸収体５を設置する。その後、吸収体５を開くと自動的に扇のような形に広がる。しばらくすると、吸収体５の毛細管現象により液体芳香剤２が吸い上げられ、吸収体５の上部より香りが発散され、室内に香りが満ちる。
【００３１】  すなわち、本実施の形態によれば、液体芳香剤２を収容するための容器４の開口部３には位置決め部６が形成されている。この位置決め部６に、扇状に開いた吸収体５を添わせて挿入することで、吸収体５を任意の位置に位置決めして固定することができる。
【００３２】  これにより、持ち運びなどによる振動があったとしても、吸収体５が当初の位置からずれることはない。吸収体５を容器４の柄に合わせて設置した場合であっても、吸収体５の位置がずれることがないので、常に美観を維持でき、インテリア性に優れている。
【００３３】  本実施の形態の吸収体５は、任意の色に染色することができる。扇子の技術として、扇骨を均等に染色できる技術があるが、それを転用して、吸収体５に色を付ける。また、この染色に使われる色は、黒、紺、茶色、桃色、黄色、白など、とくに限定しない。
【００３４】  ところで、扇子の技術において、すべて竹材（白檀や竹など）で構成される扇子（白檀扇など）は、扇を開いたときに、扇の竹材の一本一本（扇骨）を任意の場所にとどめるため、かがり糸を使って場所を固定する。本実施の形態によれば、この技術を応用し、扇骨である吸収体５の上部孔９に紐１０としてのかがり糸を通しているため、吸収体５を広げるだけで、任意の位置に吸収体５の木材を固定することが可能である。
【００３５】  すなわち、本実施の形態では、扇子の技術を活かし、扇子の一本一本の扇骨である吸収体５の上方には、装飾模様を施した装飾孔である上部孔９か形成されており、この装飾孔としての上部孔９にかがり糸としての紐１０が設けられている。そのため、扇子の装飾模様（上部孔９の装飾模様）と容器４の柄とで、例えば生け花のような美観を創出した時には、容器４の移動や振動などが発生しても、容器４の位置決め部３で、吸収体５の容器４に対する位置が変化しないので、常に、当初の美観を維持でき、インテリア性に優れた芳香発散装置が得られる。
【００３６】  さらに、本実施の形態では、下部孔７が下端から少し上方の位置に形成したが、特にこの位置でなくても、吸収体５の下端部に形成されても良い。これにより、上記したすべて竹材で構成される扇子をそのまま容器４に挿入して、容器４の位置決め部６で固定すれば、一般の扇子を利用して芳香発散装置が得られるので、非常に効果的である。
【００３７】  また、本実施の形態では、下部孔７を吸収体５の下方に一か所だけ形成したが、例えば３か所に形成し、要８をどの下部孔７にでも自由に挿通できるようにすれば、吸収体５の先端部の開口角度を任意に変更でき、インテリア性に変化を持たせることができる。
【００３８】  以上説明したように、本発明の芳香発散装置は、容器の開口部に位置決め部が設けられているため、位置決め部で吸収体を位置決めして固定できる。したがって、容器の移動や振動があっても、吸収体の位置が前後左右へ移動することがないため、常に美観を保ち、インテリア性を高めることができる。
【符号の説明】
【００３９】１  芳香発散装置
２  液体芳香剤
３  開口部
４  容器
５  吸収体
６  位置決め部
７  下部孔
８  要
９  上部孔
１０  紐
１１  底面
【図１】
2019210048.tif 000003
【図２】
2019210048.tif 000004
【図３】
2019210048.tif 000005
【図４】
2019210048.tif 000006
【図５】
2019210048.tif 000007